(57)【要約】【課題】  ソフトルアーにおけるフックのセット性を高め、フックポイントの露出程度や素材の柔らかさの程度に関係なく、簡単且つ確実に魚に対するフッキングが行えるようにする。【解決手段】全体が軟質素材で構成されるソフトルアー１であって、そのルアー本体２の前側半部２ａにおける高さ中央Ｈ部分から、下縁部や上縁部にかけて、前後方向に伸びるフック保持用スリット３が形成されており、また必要に応じて前記フック保持用スリット３の両側壁３ａに間隔をあけて縦方向または横方向に肉抜き溝４が形成されて両側壁３ａが襞状となされており、前記フック保持用スリット３を介してフックがルアー本体２にセットされるようになされている。【選択図】  図１
2020198787.tif 000002
【特許請求の範囲】
【請求項１】
軟質素材で成形されたルアー本体の前側半部における高さ中央部分から、下縁部および／または上縁部にかけて、前後方向に伸びるフック保持用スリットが形成されている、ソフトルアー。
【請求項２】
フック保持用スリットの両側壁に間隔をあけて縦方向または横方向に肉抜き溝が形成されて、両側壁が襞状となされている、請求項１記載のソフトルアー。
【請求項３】
フック保持用スリットがルアー本体の前側半部における高さ中央部分から下縁部にかけて形成され、前記前側半部におけるルアー本体の上面に、左右方向に間隔をあけて前後方向に伸びる隣り合う一対の凸条が形成されて、両凸条間がフック保持用凹溝となされている、請求項１または請求項２記載のソフトルアー。
【請求項４】
ルアー本体の後側半部に所定間隔をあけて薄肉状のジョイントが形成され、且つ後側半部がその前側から後側に向かって高さが減少し、ルアー本体の後端部にはテールが形成されて、当該ルアー全体が魚形のソフトベイト形態となされている、請求項１〜請求項３のうちのいずれか一項記載のソフトルアー。
【請求項５】
少なくともルアー本体が略棒状であるワーム形態となされている、請求項１〜請求項３のうちのいずれか一項記載のソフトルアー。
【発明の詳細な説明】
【技術分野】
【０００１】
本発明は、軟質塩化ビニルやエラストマー等の軟質素材で構成されるソフトルアーに関する。
【背景技術】
【０００２】
従来の軟質素材で構成されるソフトルアーとしては、全体が魚形態であって、前部が魚の頭部（ヘッド）、後部が魚の尾部（テール）であり、頭部と尾部の中間部分が魚の魚体（ボディ）を構成するものが一般的に知られている。
【０００３】
そして、前述したソフトルアーに使用されるフック（鈎）としては、基部のフックアイ部分をルアーの頭部から突出させ、先端部のフックポイント（鈎先）およびバーブ（かえし）をルアー本体に埋め込むか若干突出させるようにセットする所謂、オフセットフックが知られている。
【０００４】
また、ソフトルアーの柔軟特性を生かしつつ、その形態保持性を担保するために、例えば軟質ゴム、ゲルまたは軟質樹脂等で構成したソフトルアーの先端部に、ねじ込むための金属製コイルがフックアイに取り付けられたフックも知られている。該フックは、ルアー本体の頭部に前記金属製コイルをねじ込んで固定し、固定した該コイルを支点としてフックポイント（鈎先）およびバーブ（かえし）をソフトルアーのボディに差し込むものである。
【先行技術文献】
【特許文献】
【０００５】
【特許文献１】特許第５１３１９４４号公報
【特許文献２】特開２０１２−０４４９７２号公報
【発明の概要】
【発明が解決しようとする課題】
【０００６】
ソフトルアーに装着される前述したオフセットフックや金属コイル付きフックは、いずれもそれらのフックポイント側部分をソフトルアーのボディ内に差し込むと共に、フックポイントを、ボディの上縁部分にセットするか、或いはボディの上縁部分から上方に僅かに突出させてセットするのであるが、このフックポイントのセットが非常に難しく、前記突出程度が大きい場合には、ソフトルアーの使用中にフックポイントが水草や水中の障害物その他に引っ掛かって所謂、根掛かりが発生し易く、また逆にフックポイントの突出程度が少ない場合には、ソフトルアーに魚が喰いついてもフッキングしない場合があった。
【０００７】
また、ソフトルアーに対する前記フックポイントの突出程度が使用当初は適切であっても、ソフトルアーのキャスティングを繰り返すうちに、該ソフトルアーにセットされたフックの位置が徐々にずれてきて適切なフッキングが行えない場合もあった。
【０００８】
更に、ソフトルアーを構成する軟質素材の柔らかさの調整も難しく、柔らか過ぎる場合には、繰り返しのキャスティングや前記根掛かりによって、当該ソフトルアーが破損し易く、逆に軟質素材の柔らかさが少ない場合には、前述したキャスティングにおける破損の問題が生じないものの、当該ソフトルアーに魚が喰いついてもフックポイントがルアーのボディから十分に突出せず、そのためフッキングに失敗するおそれがあった。
【０００９】
本発明の目的は、前述したフックポイントの突出程度や素材の柔らかの程度に関係なく、簡単且つ確実にフッキングが行えるソフトルアーを提供することにある。
【課題を解決するための手段】
【００１０】
請求項１記載の本発明は、軟質素材で成形されたルアー本体の前側半部における高さ中央部分から、下縁部および／または上縁部にかけて、前後方向に伸びるフック保持用スリットが形成されているソフトルアーである。
【００１１】
本発明のソフトルアーを構成する軟質素材としては、軟質塩化ビニル、エラストマー、シリコーン等が挙げられる。
【００１２】
請求項２記載の本発明は、前記請求項１記載のソフトルアーについて、フック保持用スリットの両側壁に間隔をあけて縦方向または横方向に肉抜き溝が形成されて、両側壁が襞状となされていることを特徴とする。
【００１３】
請求項３記載の本発明は、前記請求項１および請求項２記載のソフトルアーについて、フック保持用スリットがルアー本体の前側半部における高さ中央部分から下縁部にかけて形成され、前記前側半部におけるルアー本体の上面に、左右方向に間隔をあけて前後方向に伸びる隣り合う一対の凸条が形成されて、両凸条間がフック保持用凹溝となされている、ことを特徴とする。
【００１４】
請求項４記載の本発明は、前記請求項１〜請求項３のうちのいずれか一項記載のソフトルアーについて、ルアー本体の後側半部に、所定間隔をあけて薄肉状のジョイントが形成され、且つ前記後側半部がその前側から後側に向かって高さが減少し、ルアー本体の後端部にはテールが形成されて、当該ルアー全体が魚形のソフトベイト形態となされていることを特徴とする。
【００１５】
請求項５記載の本発明は、前記請求項１〜請求項３のうちのいずれか一項記載のソフトルアーについて、少なくともルアー本体が略棒状であるワーム形態となされていることを特徴とする。本発明においては、前記ワーム形態には、ストレートワームやピンテールワーム、パドルワーム等々、種々の形態のワームが含まれる。
【発明の効果】
【００１６】
請求項１記載の本発明に係るソフトルアーは、前述した通り、軟質素材で成形されたルアー本体の前側半部における高さ中央部分から、下縁部および／または上縁部にかけて、前後方向に伸びるフック保持用スリットが形成されているため、当該ルアーの使用において、前記フック保持用スリットを介してフックを簡単且つ確実にルアー本体にセットすることができ、しかも前記フック保持用スリットの形成に伴ってフックが保持されているルアー本体の前側部分の変形性が高められるため、当該ルアーにブラックバス等の魚が喰いついた際にルアー本体の前側部分が容易に湾曲収縮してフック先端のフックポイントがルアー本体から突出し易く、そのため魚に対するフッキング率が向上する。
【００１７】
請求項２記載の本発明は、前記請求項１記載のソフトルアーについて、フック保持用スリットの両側壁に間隔をあけて縦方向または横方向に肉抜き溝が形成されて、両側壁が襞状となされているため、前述したルアー本体の前側部分の変形性が更に高められて、魚に対するフッキング性がいっそう向上する。また、フック保持用スリット内において、その両側壁とフックとの接触面積が前記襞状とすることで減少するため、軟質素材からなるルアー本体の粘着性にかかわらず、フック保持用スリットの両側壁とフックとの摩擦抵抗が減少し、その結果、魚が喰いついた際のルアー本体からのフックの突出性が更に向上し、これに伴って前記フッキング性がいっそう高められる。
【００１８】
請求項３記載の本発明は、前記請求項１または請求項２記載のソフトルアーについて、前述した通り、フック保持用スリットがルアー本体の前側半部における高さ中央部分から下縁部にかけて形成され、前記前側半部におけるルアー本体の上面に、左右方向に間隔をあけて前後方向に伸びる隣り合う一対の凸条が形成されて、両凸条間がフック保持用凹溝となされているため、当該ルアーの前側半部上面でフックの先端部分がフック保持用凹溝内に収容されることとなり、その結果、当該ルアーがキャスティングされ、水中でスイミングしている際の障害物回避性が向上して所謂、根掛かりを有効に防止することができる。
【００１９】
請求項４記載の本発明は、前記請求項１〜請求項３のうちのいずれか一項記載のソフトルアーについて、ルアー本体の後側半部に所定間隔をあけて薄肉状のジョイントが形成され、且つ後側半部がその前側から後側に向かって高さが減少し、ルアー本体の後端部にはテールが形成されて、当該ルアー全体が魚形のソフトベイト形態となされているものであるが、この場合、前述したフック保持用スリットおよびその両側壁の肉抜き襞構造によって、当該ルアー全体の軽量化が図られ、且つ適度の形態保持性が担保されるため、ソフトベイトルアーの使用性が向上する。
【００２０】
請求項５記載の本発明は、請求項１〜請求項３のうちのいずれか一項記載のソフトルアーについて、少なくともルアー本体が略棒状であるワーム形態となされているものであるが、この場合、前述したフック保持用スリットおよびその両側壁の肉抜き襞構造によって、従来のワームよりもフックのセッティング性が向上すると共に、フッキング性も高められるという実用的利点を有する。
【図面の簡単な説明】
【００２１】
【図１】実施形態１に係るソフトベイトルアーの一部切欠側面図である。
【図２】図１におけるＡ−Ａ線断面図である。
【図３】図１におけるＢ−Ｂ線断面図である。
【図４】同実施形態のソフトベイトルアーにフックをセットした状態の一部切欠側面図である。
【図５】図４のソフトベイトルアーに魚が喰いついた際の変形状態を示す一部切欠側面図である。
【図６】図５におけるＣ−Ｃ線端面図である。
【図７】同実施形態のソフトベイトルアーのスリット内でのフックの保持状態を示す概略図である。
【図８】実施形態２に係るソフトベイトルアーの一部切欠側面図である。
【図９】図８におけるＤ−Ｄ線断面図である。
【図１０】実施形態３に係るワーム系ソフトルアーの一部切欠側面図である。
【図１１】図１０におけるＥ−Ｅ線断面図である。
【図１２】実施形態３に係るソフトベイトルアーの一部切欠側面図である。
【図１３】図１２におけるＦ−Ｆ線断面図である。
【図１４】同実施形態のソフトベイトルアーにフックをセットした状態の一部切欠側面図である。
【発明を実施するための形態】
【００２２】
次に、本発明の実施形態を図面にしたがって説明するが、本発明はかかる実施形態に限定されるものではない。
（実施形態１）
【００２３】
図１〜図３に示すように、本実施形態は、全体が魚形の所謂ソフトベイト１であって、軟質塩化ビニルで構成され、ルアー本体２の前側半部２ａには後述するフック保持用スリット３が形成され、ルアー本体２の後側半部２ｂには所定間隔をあけて薄肉状のジョイント１１が形成され、且つ後側半部２ｂはその前側から後側に向かって高さＨが徐々に減少し、ルアー本体２の後端部（後側半部２ｂの末端部）にはテール１２が一体に形成されている。
【００２４】
フック保持用スリット３は、前側半部２ａにおける下縁部２０ａから高さＨ中央部分にかけて前後方向に形成されており、また本実施形態では、その両側壁３ａに間隔をあけて縦方向に肉抜き溝４が形成されて両側壁３ａが襞状となされている。また、本実施形態では、ルアー本体２の前側半部２ａにおける上面に、左右方向に間隔をあけて前後方向に伸びる隣り合う一対の凸条５が形成されて、両凸条５間がフック保持用凹溝６となされている。
【００２５】
そして、図４に示すように、本実施形態に係るソフトベイト１にセットされるフック７は、フックアイ７ａに金属製の留めコイル８が係止され、フックアイ７ａからフックポイント７ｂ側に向かって通常のオフセットフックと同様のシャンク７ｃ、ベンド７ｄ、バーブ７ｅ等を有する。
【００２６】
次に、該フック７を本実施形態のソフトベイト１にセットする手順について説明すると、先ず前記留めコイル８をルアー本体２の前端部にねじ込んだ後、これを支点としてフック７のフックポイント７ｂ、バーブ７eおよびこれに続くベンド７ｄをルアー本体２の前側半部２ａに差し込むのであるが、この際、前述した通り、前側半部２ａにおける下縁部２０ａから高さＨ中央部分にかけてフック保持用スリット３が形成されているため、前側半部２ａにおける下縁部２０ａから高さＨ中央部分にかけては、一般的なソフトルアーとは異なり、フック７のフックポイント７ｂ、バーブ７eおよびベンド７ｄをルアー本体２に差し込まずに、前記フック保持用スリット３内に挿入するだけでよく、そして、前側半部２ａの高さＨ中央部分から上縁部２０ｂにかけてフック７のフックポイント７ｂ、バーブ７eおよびベンド７ｄを差し込むだけでフック７がセットされる。そのため、フック７のセットが一般的なソフトルアーに比べて非常に簡単に行え、非力な女性や子供のアングラーでもフック７のセットがスムーズに行える。
【００２７】
そして、最終的には前記フック７のフックポイント７ｂをルアー本体２の前側半部２ａ上面から突出させることでフック７のセットが完了する。この際、前述したように、フック７は容易にルアー本体２の前側半部２ａにおける高さＨ中央部分から上縁部２０ｂにかけてだけ差し込めばよく、差し込む長さが短かいため、前述したフックポイント７ｂの突出も簡単かつ正確に行うことができるため、従来に比べて優れたフッキング性が得られる。
【００２８】
また、図７に示すように、当該ソフトベイト１によれば、前記フック保持用スリット３の存在並びにその両側壁３ａが襞状となされていることで、前述した通り、フック７の差し込みが容易であると共に、フック保持用スリット３の両側壁３ａとフック７との接触面積が少ないため、フック保持用スリット３の両側壁３ａとフック７との摩擦抵抗も軽減される。その結果、フック保持用スリット３内におけるフック７の動きがより円滑化される。
【００２９】
そして、図５および図６に示すように、本実施形態に係るソフトベイト１によれば、ブラックバス等の魚が喰いついた場合、ルアー本体２におけるフック保持用スリット３が形成された前側半部２ａに主として上下方向からの外力が加わる結果、ルアー本体２の前側半部２ａの外形がフック保持用スリット３を中心として容易に収縮するのに伴ってフック７のフックポイント７ｂ、７ｅおよびベンド７ｄがルアー本体２の上面から容易に突出するため、喰いついた魚に対して簡単且つ確実にフッキングし得る。
【００３０】
なお、本発明において、ルアー本体２の全長が短い場合やルアー本体２を構成する軟質素材の粘着性が比較的低い場合には、フック保持用スリット３の両側壁３ａを前述したような襞状としないことも考えられる。
（実施形態２）
【００３１】
図８および図９に示すように、本実施形態も、前述した実施形態１と同様、全体が魚形の所謂ソフトベイト２１であって、軟質塩化ビニルで構成されており、ルアー本体２２の前側半部２２ａには後述するフック保持用スリット２３Ａ・２３Ｂが形成され、ルアー本体２２の後側半部２２ｂには所定間隔をあけて薄肉状のジョイント３１が形成され、且つ後側半部２２ｂはその前側から後側に向かって高さＨが徐々に減少し、ルアー本体２２の後端部（後側半部２２ｂの末端部）にはテール３２が一体に形成されている。
【００３２】
フック保持用スリット２３Ａは、前記実施形態１におけるフック保持用スリット３と同様、ルアー本体２２の前側半部２２ａにおける下縁部３２ａから高さＨ中央部分にかけて前後方向に形成されており、その両側壁２３Ａａに間隔をあけて縦方向に肉抜き溝２４が形成されて両側壁２３Ａａが襞状となされている。
【００３３】
フック保持用スリット２３Ｂは、ルアー本体２２の前側半部２２ａにおける上縁部３２ｂから高さＨ中央部分にかけて前後方向に形成されており、その両側壁２３Ｂａに間隔をあけて縦方向に肉抜き溝２４が形成されて両側壁２３Ｂａも襞状となされている。
【００３４】
すなわち、本実施形態に係るソフトベイト２１は、前述した通り、ルアー本体２２の前側半部２２ａにおいて、上下方向に対向するフック保持用スリット２３Ａ・２３Ｂが形成されている。そのため、当該ソフトベイト２１によれば、前記実施形態１におけるフック保持用スリット３と同様の作用効果が二箇所のフック保持用スリット２３Ａ・２３Ｂについて得られることが明確である。
【００３５】
なお、本実施形態２のソフトベイト２１において、前記フック保持用スリット２３Ａにおけるフックのセット方法は、前述した実施形態１と同様である。
【００３６】
また、本実施形態２においては、前述した通り、ルアー本体２２の前側半部２２ａにおいて、上下方向に対向するフック保持用スリット２３Ａ・２３Ｂが形成されているが、下縁側のフック保持用スリット２３Ａを省略して上縁側のフック保持用スリット２３Ｂのみとする場合もある。
（実施形態３）
【００３７】
図１０および図１１に示すように、本実施形態に係るソフトルアーは、いわゆるピンテール形態のワーム４１であって、軟質塩化ビニルで構成され、ルアー本体４２の前側半部４２ａには後述するフック保持用スリット４３が形成され、前記実施形態と同様、肉抜き溝４４を有し、またルアー本体４２の後側半部４ｂはピンテール５１となされている。
【００３８】
本実施形態における前記フック保持用スリット４３の構造は、前述した実施形態１におけるフック保持用スリット３と同様である。また、フックのセット方法についても実施形態１と同様であるため、説明を省略する。
（実施形態３）
【００３９】
図１２〜図１４に示すように、本実施形態３のソフトルアーは、前記実施形態１のソフトベイトルアー１と全体形態が同様なソフトベイトルアー５１であって、フック保持用スリット５３の構造が実施形態１と相違する。
【００４０】
すなわち、本実施形態のソフトベイトルアー５１は、フック保持用スリット５３が、前側半部５２ａにおける下縁部６０ａから高さＨ中央部分にかけて前後方向に形成されており、そして、本実施形態では、その両側壁５３ａに間隔をあけて横方向に肉抜き溝５４が形成されて両側壁５３ａが襞状となされている。
【００４１】
本実施形態のソフトベイトルアー５１におけるフック５７のセット方法も前記実施形態１と同様であるが、本実施形態のソフトベイトルアー５１では、フック保持用スリット５３における横方向の肉抜き溝５４がフック５７のベンド５７ｄに対して直交する状態となる。
【００４２】
また、このようなフック保持用スリット５３における横方向の肉抜き溝５４によって、バス等の魚が喰いついた際の変形性およびフック突出性が更に向上する。
【産業上の利用可能性】
【００４３】
本発明に係るソフトルアーは、前述した通り、ルアー本体にフックを簡単且つ確実にセットすることができ、しかもバス等の魚に対するフッキング性も高いため、ルアーフィッシングの分野において幅広い利用が期待できる。
【符号の説明】
【００４４】
１・２１・３１・５１  ソフトルアー
２・２２・４２・５２  ルアー本体
３．２３・４３・５３  フック保持用スリット
２ａ・２２ａ・４２ａ・５３a  ルアー本体の前側半部
【図１】
2020198787.tif 000003
【図２】
2020198787.tif 000004
【図３】
2020198787.tif 000005
【図４】
2020198787.tif 000006
【図５】
2020198787.tif 000007
【図６】
2020198787.tif 000008
【図７】
2020198787.tif 000009
【図８】
2020198787.tif 000010
【図９】
2020198787.tif 000011
【図１０】
2020198787.tif 000012
【図１１】
2020198787.tif 000013
【図１２】
2020198787.tif 000014
【図１３】
2020198787.tif 000015
【図１４】
2020198787.tif 000016